(57)【要約】【課題】割引情報が反映された駐車料金をＥＴＣシステムによりキャッシュレス決済することができる駐車場サーバを提供する。【解決手段】駐車場の入場口に設けられた入場ＥＴＣ路側器からＥＴＣ情報を受信し、入場口で撮影された車両の画像の何れかを利用者が選択したことに基づいて生成されたＥＴＣ情報のコード情報と、コード情報に対応する割引情報を、店舗に関連する店舗端末から受信し、駐車場の出場口に設けられた出場ＥＴＣ路側器からＥＴＣ情報を受信し、所定のサーバに割引情報に基づいた駐車料金の請求情報を送信するデータ送受信部と、入場ＥＴＣ路側器から受信したＥＴＣ情報と、店舗端末から受信した割引情報を紐づけてエントリとしてデータベースに記憶する紐づけ部と、出場ＥＴＣ路側器から受信したＥＴＣ情報に基づいてデータベースを検索し、検索されたエントリの割引情報に基づいて請求情報を生成する請求情報生成部を含む。【選択図】図２
2019101544.tif 000002
【特許請求の範囲】
【請求項１】
駐車場の入場口に設けられた入場ＥＴＣ路側器からＥＴＣ情報を受信し、前記入場口で撮影された車両の画像の何れかを利用者が選択したことに基づいて生成された前記ＥＴＣ情報のコード情報と、前記コード情報に対応する割引情報を、店舗に関連する店舗端末から受信し、駐車場の出場口に設けられた出場ＥＴＣ路側器から前記ＥＴＣ情報を受信し、所定のサーバに前記割引情報に基づいた駐車料金の請求情報を送信するデータ送受信部と、
前記入場ＥＴＣ路側器から受信した前記ＥＴＣ情報と、前記店舗端末から受信した前記割引情報を紐づけてエントリとしてデータベースに記憶する紐づけ部と、
前記出場ＥＴＣ路側器から受信した前記ＥＴＣ情報に基づいて前記データベースを検索し、検索された前記エントリの前記割引情報に基づいて前記請求情報を生成する請求情報生成部を含む
駐車場サーバ。
【請求項２】
駐車場の入場口に設けられた入場ＥＴＣ路側器からＥＴＣ情報を受信し、前記入場口で認識された車両番号の何れかを利用者が選択したことに基づいて生成された前記ＥＴＣ情報のコード情報と、前記コード情報に対応する割引情報を、店舗に関連する店舗端末から受信し、駐車場の出場口に設けられた出場ＥＴＣ路側器から前記ＥＴＣ情報を受信し、所定のサーバに前記割引情報に基づいた駐車料金の請求情報を送信するデータ送受信部と、
前記入場ＥＴＣ路側器から受信した前記ＥＴＣ情報と、前記店舗端末から受信した前記割引情報を紐づけてエントリとしてデータベースに記憶する紐づけ部と、
前記出場ＥＴＣ路側器から受信した前記ＥＴＣ情報に基づいて前記データベースを検索し、検索された前記エントリの前記割引情報に基づいて前記請求情報を生成する請求情報生成部を含む
駐車場サーバ。
【請求項３】
駐車場の入場口に設けられた入場ＥＴＣ路側器からＥＴＣ情報を受信し、前記入場口で撮影された車両の画像の何れかを利用者が選択したことに基づいて生成された前記ＥＴＣ情報のコード情報と、前記コード情報に対応する割引情報を、店舗に関連する店舗端末から受信し、駐車場の出場口に設けられた出場ＥＴＣ路側器から前記ＥＴＣ情報を受信し、所定のサーバに前記割引情報に基づいた駐車料金の請求情報を送信するデータ送受信部と、
前記利用者によって前記画像のうちの何れかが選択された場合に、選択された前記画像に対応する前記コード情報を生成するコード生成部と、
前記入場ＥＴＣ路側器から受信した前記ＥＴＣ情報と、前記店舗端末から受信した前記割引情報を紐づけてエントリとしてデータベースに記憶する紐づけ部と、
前記出場ＥＴＣ路側器から受信した前記ＥＴＣ情報に基づいて前記データベースを検索し、検索された前記エントリの前記割引情報に基づいて前記請求情報を生成する請求情報生成部を含む
駐車場サーバ。
【請求項４】
駐車場の入場口に設けられた入場ＥＴＣ路側器からＥＴＣ情報を受信し、前記入場口で認識された車両番号の何れかを利用者が選択したことに基づいて生成された前記ＥＴＣ情報のコード情報と、前記コード情報に対応する割引情報を、店舗に関連する店舗端末から受信し、駐車場の出場口に設けられた出場ＥＴＣ路側器から前記ＥＴＣ情報を受信し、所定のサーバに前記割引情報に基づいた駐車料金の請求情報を送信するデータ送受信部と、
前記利用者によって前記車両番号のうちの何れかが選択された場合に、選択された前記車両番号に対応する前記コード情報を生成するコード生成部と、
前記入場ＥＴＣ路側器から受信した前記ＥＴＣ情報と、前記店舗端末から受信した前記割引情報を紐づけてエントリとしてデータベースに記憶する紐づけ部と、
前記出場ＥＴＣ路側器から受信した前記ＥＴＣ情報に基づいて前記データベースを検索し、検索された前記エントリの前記割引情報に基づいて前記請求情報を生成する請求情報生成部を含む
駐車場サーバ。
【請求項５】
駐車場の入場口に設けられた入場ＥＴＣ路側器と、前記入場口に設けられた入場カメラと、コード発行端末と、店舗に関連する店舗端末と、駐車場の出場口に設けられた出場ＥＴＣ路側器と、駐車場サーバと、所定のサーバを含む駐車料金精算システムであって、
前記入場ＥＴＣ路側器は、車両から受信したＥＴＣ情報を前記駐車場サーバに送信し、
前記入場カメラは、前記ＥＴＣ情報と対応する前記車両の画像を撮影して、前記コード発行端末に送信し、
前記コード発行端末は、利用者によって前記画像のうちの何れかが選択された場合に、選択された前記画像に対応する前記ＥＴＣ情報のコード情報を生成し、
前記店舗端末は、割引情報と前記コード情報を前記駐車場サーバに送信し、
前記出場ＥＴＣ路側器は、前記車両から受信した前記ＥＴＣ情報を前記駐車場サーバに送信し、
前記駐車場サーバは、
前記ＥＴＣ情報と、前記コード情報と、前記割引情報を受信し、前記所定のサーバに前記割引情報に基づいた駐車料金の請求情報を送信するデータ送受信部と、
前記入場ＥＴＣ路側器から受信した前記ＥＴＣ情報と、前記店舗端末から受信した前記割引情報を紐づけてエントリとしてデータベースに記憶する紐づけ部と、
前記出場ＥＴＣ路側器から受信した前記ＥＴＣ情報に基づいて前記データベースを検索し、検索された前記エントリの前記割引情報に基づいて前記請求情報を生成する請求情報生成部を含む
駐車料金精算システム。
【請求項６】
駐車場の入場口に設けられた入場ＥＴＣ路側器と、前記入場口に設けられた車番読取装置と、コード発行端末と、店舗に関連する店舗端末と、駐車場の出場口に設けられた出場ＥＴＣ路側器と、駐車場サーバと、所定のサーバを含む駐車料金精算システムであって、
前記入場ＥＴＣ路側器は、車両から受信したＥＴＣ情報を前記駐車場サーバに送信し、
前記車番読取装置は、前記ＥＴＣ情報と対応する前記車両の車両番号を認識して、前記コード発行端末に送信し、
前記コード発行端末は、利用者によって前記車両番号のうちの何れかが選択された場合に、選択された前記車両番号に対応する前記ＥＴＣ情報のコード情報を生成し、
前記店舗端末は、割引情報と前記コード情報を前記駐車場サーバに送信し、
前記出場ＥＴＣ路側器は、前記車両から受信した前記ＥＴＣ情報を前記駐車場サーバに送信し、
前記駐車場サーバは、
前記ＥＴＣ情報と、前記コード情報と、前記割引情報を受信し、前記所定のサーバに前記割引情報に基づいた駐車料金の請求情報を送信するデータ送受信部と、
前記入場ＥＴＣ路側器から受信した前記ＥＴＣ情報と、前記店舗端末から受信した前記割引情報を紐づけてエントリとしてデータベースに記憶する紐づけ部と、
前記出場ＥＴＣ路側器から受信した前記ＥＴＣ情報に基づいて前記データベースを検索し、検索された前記エントリの前記割引情報に基づいて前記請求情報を生成する請求情報生成部を含む
駐車料金精算システム。
【請求項７】
駐車場の入場口に設けられた入場ＥＴＣ路側器と、前記入場口に設けられた入場カメラと、店舗に関連する店舗端末と、駐車場の出場口に設けられた出場ＥＴＣ路側器と、駐車場サーバと、所定のサーバを含む駐車料金精算システムであって、
前記入場ＥＴＣ路側器は、車両から受信したＥＴＣ情報を前記駐車場サーバに送信し、
前記入場カメラは、前記ＥＴＣ情報と対応する前記車両の画像を撮影して、前記駐車場サーバに送信し、
前記店舗端末は、割引情報とコード情報を前記駐車場サーバに送信し、
前記出場ＥＴＣ路側器は、前記車両から受信した前記ＥＴＣ情報を前記駐車場サーバに送信し、
前記駐車場サーバは、
前記ＥＴＣ情報と、前記画像と、前記コード情報と、前記割引情報を受信し、前記所定のサーバに前記割引情報に基づいた駐車料金の請求情報を送信するデータ送受信部と、
利用者によって前記画像のうちの何れかが選択された場合に、選択された前記画像に対応する前記ＥＴＣ情報の前記コード情報を生成するコード生成部と、
前記入場ＥＴＣ路側器から受信した前記ＥＴＣ情報と、前記店舗端末から受信した前記割引情報を紐づけてエントリとしてデータベースに記憶する紐づけ部と、
前記出場ＥＴＣ路側器から受信した前記ＥＴＣ情報に基づいて前記データベースを検索し、検索された前記エントリの前記割引情報に基づいて前記請求情報を生成する請求情報生成部を含む
駐車料金精算システム。
【請求項８】
駐車場の入場口に設けられた入場ＥＴＣ路側器と、前記入場口に設けられた車番読取装置と、店舗に関連する店舗端末と、駐車場の出場口に設けられた出場ＥＴＣ路側器と、駐車場サーバと、所定のサーバを含む駐車料金精算システムであって、
前記入場ＥＴＣ路側器は、車両から受信したＥＴＣ情報を前記駐車場サーバに送信し、
前記車番読取装置は、前記ＥＴＣ情報と対応する前記車両の車両番号を認識して、前記駐車場サーバに送信し、
前記店舗端末は、割引情報とコード情報を前記駐車場サーバに送信し、
前記出場ＥＴＣ路側器は、前記車両から受信した前記ＥＴＣ情報を前記駐車場サーバに送信し、
前記駐車場サーバは、
前記ＥＴＣ情報と、前記車両番号と、前記コード情報と、前記割引情報を受信し、前記所定のサーバに前記割引情報に基づいた駐車料金の請求情報を送信するデータ送受信部と、
利用者によって前記車両番号のうちの何れかが選択された場合に、選択された前記車両番号に対応する前記ＥＴＣ情報の前記コード情報を生成するコード生成部と、
前記入場ＥＴＣ路側器から受信した前記ＥＴＣ情報と、前記店舗端末から受信した前記割引情報を紐づけてエントリとしてデータベースに記憶する紐づけ部と、
前記出場ＥＴＣ路側器から受信した前記ＥＴＣ情報に基づいて前記データベースを検索し、検索された前記エントリの前記割引情報に基づいて前記請求情報を生成する請求情報生成部を含む
駐車料金精算システム。
【請求項９】
コンピュータを、請求項１から４の何れかに記載の駐車場サーバとして機能させるプログラム。
【発明の詳細な説明】
【技術分野】
【０００１】
本発明は、駐車場サーバ、駐車料金精算システム、プログラムに関する。
【背景技術】
【０００２】
ＥＴＣ２．０は、道路沿いに設置されたＩＴＳスポットと対応車載器（ＤＳＲＣ通信対応機）との相互通信により、高度な支援を提供するサービスである。
【０００３】
国土交通省は、ＥＴＣ２．０を様々な民間サービスに利用する計画を発表している（非特許文献１）。民間サービスの一例として、公共駐車場決済サービスがある。このサービスでは、事前登録の手続きによって公共駐車場のゲートをキャッシュレス、チケットレスでスムーズに通過できるようにすることを目指している。
【先行技術文献】
【非特許文献】
【０００４】
【非特許文献１】国土交通省、“ＥＴＣ２．０  広がる民間サービス”、［online］、国土交通省、［平成 29年2月 23日検索］、インターネット<URL:http://www.mlit.go.jp/road/ITS/j-html/etc2/minkan.html>
【発明の概要】
【発明が解決しようとする課題】
【０００５】
例えば店舗併設型駐車場の決済をＥＴＣによるキャッシュレス決済としようとすると、店舗利用などで利用者が獲得した駐車料金の割引情報を決済情報に反映することができない。これは、既存の店舗−駐車場間で構築されている割引サービスがＥＴＣ決済システムとリンクしていないからである。従って、上述の公共駐車場決済サービスは、割引サービスを有さない駐車場でしか利用できないという課題があった。
【０００６】
そこで本発明では、割引情報が反映された駐車料金をＥＴＣシステムによりキャッシュレス決済することができる駐車場サーバを提供することを目的とする。
【課題を解決するための手段】
【０００７】
本発明の駐車場サーバは、データ送受信部と、紐づけ部と、請求情報生成部を含む。
【０００８】
データ送受信部は、駐車場の入場口に設けられた入場ＥＴＣ路側器からＥＴＣ情報を受信し、入場口で撮影された車両の画像の何れかを利用者が選択したことに基づいて生成されたＥＴＣ情報のコード情報と、コード情報に対応する割引情報を、店舗に関連する店舗端末から受信し、駐車場の出場口に設けられた出場ＥＴＣ路側器からＥＴＣ情報を受信し、所定のサーバに割引情報に基づいた駐車料金の請求情報を送信する。紐づけ部は、入場ＥＴＣ路側器から受信したＥＴＣ情報と、店舗端末から受信した割引情報を紐づけてエントリとしてデータベースに記憶する。請求情報生成部は、出場ＥＴＣ路側器から受信したＥＴＣ情報に基づいてデータベースを検索し、検索されたエントリの割引情報に基づいて請求情報を生成する。
【発明の効果】
【０００９】
本発明の駐車場サーバによれば、割引情報が反映された駐車料金をＥＴＣシステムによりキャッシュレス決済することができる。
【図面の簡単な説明】
【００１０】
【図１】実施例１の駐車料金精算システムの構成を示すブロック図。
【図２】実施例１の駐車場サーバの構成を示すブロック図。
【図３】実施例１の駐車料金精算システムのＥＴＣ情報関連動作を示すシーケンス図。
【図４】実施例１の駐車料金精算システムのエントリ生成動作を示すシーケンス図。
【図５】実施例１の駐車料金精算システムの請求情報関連動作を示すシーケンス図。
【図６】実施例１のＥＴＣ車載器、入場ＥＴＣ路側器、入場カメラを示す概略図。
【図７】実施例１のコード発行端末、携帯端末、利用者を示す概略図。
【図８】実施例１のコード発行端末における画像選択画面の表示例を示す図。
【図９】実施例１のコード発行端末が生成したコードの表示例を示す図。
【図１０】実施例１の携帯端末、店舗端末、利用者、従業員を示す概略図。
【図１１】実施例２の駐車料金精算システムの構成を示すブロック図。
【図１２】実施例２の駐車場サーバの構成を示すブロック図。
【図１３】実施例２の駐車料金精算システムのエントリ生成動作を示すシーケンス図。
【図１４】実施例２の携帯端末における車両番号選択画面の表示例を示す図。
【発明を実施するための形態】
【００１１】
以下、本発明の実施の形態について、詳細に説明する。なお、同じ機能を有する構成部には同じ番号を付し、重複説明を省略する。
【実施例１】
【００１２】
＜駐車料金精算システム１＞
以下、図１を参照して実施例１の駐車料金精算システム１の構成を説明する。同図に示すように本実施例の駐車料金精算システム１は、ＥＴＣカード１０１を挿入したＥＴＣ車載器１０と、入場ＥＴＣ路側器１１と、駐車場サーバ１２と、代行会社サーバ１３と、クレジットカード会社サーバ１４と、入場カメラ１５と、コード発行端末１６と、携帯端末１７と、店舗端末１８と、出場ＥＴＣ路側器１９と、これらの機器間の通信を担うネットワーク８１，８２，８３，８４，８５，８６を含んで構成される。
【００１３】
なお、本実施例の駐車料金精算システム１において対象とされる駐車場は、複数あってもよい。また駐車場内に入場口、出場口が複数設けられていてもよい。また対象とされる店舗は複数あってもよい。
【００１４】
ＥＴＣ車載器１０は、利用者９に関連する車両に搭載されているものとする。ＥＴＣカード１０１は利用者９と関連する（図の破線参照）。関連のシンプルな例として、ＥＴＣカード１０１は利用者９の所有物である。入場ＥＴＣ路側器１１は、利用者９が利用する駐車場の入場口に設けられているものとする。駐車場サーバ１２は、利用者９が利用する駐車場を管理するサーバ装置であるものとする。代行会社サーバ１３はＥＴＣカード１０１のＥＴＣカード情報とクレジットカード情報の関連付けを担う代行会社が管理するサーバ装置であるものとする。クレジットカード会社サーバ１４は、ＥＴＣカード１０１によるクレジットカード決済を担うクレジットカード会社が管理するサーバ装置であるものとする。なお、セキュリティの観点から、ＥＴＣカード情報、クレジットカード情報は、暗号化された情報としてもよいし、ハッシュ化された情報としてもよい。また、ＥＴＣカード情報、クレジットカード情報の代替情報、代替コードをＥＴＣカード情報、クレジットカード情報の代わりに用いてもよい。入場カメラ１５は、利用者９が利用する駐車場の入場口に、入場ＥＴＣ路側器１１に近接して（図の破線参照）設けられているものとする。コード発行端末１６は、ユーザが操作可能な画面を備え、駐車場や店舗の近傍に設けられる。コード発行端末１６は、例えば情報ＫＩＯＳＫ端末などで実現できる。携帯端末１７は、利用者９と関連する（図の破線参照）。関連のシンプルな例として、携帯端末１７は利用者９の所有物である。本実施例において、利用者９は携帯端末１７を常時携帯しているものとする。店舗端末１８は、利用者９が利用する店舗に関連するものとする。関連のシンプルな例として、店舗端末１８は、該当する店舗の設備である。出場ＥＴＣ路側器１９は、利用者９が利用する駐車場の出場口に設けられているものとする。
【００１５】
ネットワーク８１は、ＥＴＣ専用の無線通信方式のネットワークであって、ＥＴＣ車載器１０−ＥＴＣ路側器１１，１９間の通信を担うネットワークであるものとする。ネットワーク８２は、ＥＴＣ路側器１１，１９−駐車場サーバ１２間の通信を担う無線または有線のネットワークである。ネットワーク８３は、駐車場サーバ１２と代行会社サーバ１３とクレジットカード会社サーバ１４などをつなぐ大規模なネットワークである。ネットワーク８４は、入場カメラ１５−コード発行端末１６間の通信を担う無線または有線のネットワークである。ネットワーク８５は、コード発行端末１６−携帯端末１７間の通信を担う無線または有線のネットワークである。ネットワーク８６は、店舗端末１８−駐車場サーバ１２間の通信を担う無線または有線のネットワークである。
【００１６】
＜駐車場サーバ１２＞
以下、図２を参照して本実施例の駐車場サーバ１２の構成について説明する。同図に示すように本実施例の駐車場サーバ１２は、データ送受信部１２１、紐づけ部１２３、請求情報生成部１２４、データベース１２５を含む構成である。
【００１７】
＜駐車場サーバ１２の動作の概要＞
以下、図３、図４、図５を参照して駐車場サーバ１２の動作の概要を説明する。なお、図３、図４、図５は続く駐車料金精算システム１の各動作の説明において再度参照する。
【００１８】
図３に示すように、データ送受信部１２１は、入場ＥＴＣ路側器１１からＥＴＣ情報を受信し（Ｓ１２ａ）、データベース１２５に記憶する。
【００１９】
図４に示すように、データ送受信部１２１は、店舗端末１８からコード情報（後述）と、コード情報に対応する割引情報（後述）を受信する（Ｓ１２ｄ）。この場合、紐づけ部１２３は、入場ＥＴＣ路側器１１から受信したＥＴＣ情報と割引情報を紐づけてエントリとしてデータベース１２５に記憶する（Ｓ１２ｅ）。この他に、データベース１２５には、駐車場を識別する情報、店舗を識別する情報が記憶されてもよい。
【００２０】
図５に示すように、データ送受信部１２１は、出場ＥＴＣ路側器１９からＥＴＣ情報を受信する（Ｓ１２ｆ）。この場合、請求情報生成部１２４は、出場ＥＴＣ路側器１９から受信したＥＴＣ情報に基づいてデータベース１２５を検索し、検索されたエントリの割引情報に基づいて駐車料金の請求情報を生成する（Ｓ１２ｇ）。データ送受信部１２１は、所定のサーバ（代行会社サーバ１３）に請求情報を送信する（Ｓ１２ｈ）。なお、請求情報は、駐車場を識別する情報、割引情報に対応する店舗を識別する情報を含んでもよい。
【００２１】
＜駐車料金精算システム１のＥＴＣ情報関連動作＞
以下、図３を参照して本実施例の駐車料金精算システム１のＥＴＣ情報関連動作について説明する。利用者９の車両が駐車場の入場口（入口）に接近するとＥＴＣによる通信がスタートする。利用者９の車両のＥＴＣ車載器１０は、ＥＴＣ情報を発信する（Ｓ１０ａ）。ステップＳ１０ａで発信されるＥＴＣ情報は、前述したＥＴＣカード情報であってもよいし、車載器番号であってもよいし、ＷＣＮ（ワイヤレスコールナンバー）であってもよいし、ＥＴＣカード情報と車載器番号とＷＣＮのうち二つ以上を含んでいてもよい。
【００２２】
入場ＥＴＣ路側器１１は、当該ＥＴＣ情報を受信する（Ｓ１１ａ）。入場ＥＴＣ路側器１１は、受信したＥＴＣ情報を駐車場サーバ１２に送信する（Ｓ１１ｂ）。ステップＳ１１ｂにおいて、入場ＥＴＣ路側器１１は、ＥＴＣ情報に加え、ＥＴＣ情報を受信した時刻の情報を送信してもよい。駐車場サーバ１２のデータ送受信部１２１は、当該ＥＴＣ情報を受信し（Ｓ１２ａ）、データベース１２５に記憶する。駐車場サーバ１２のデータ送受信部１２１は、オーソリ情報取得のために、受信したＥＴＣ情報を代行会社サーバ１３に送信する（Ｓ１２ｂ）。代行会社サーバ１３は当該ＥＴＣ情報を受信する（Ｓ１３ａ）。代行会社サーバ１３は受信したＥＴＣ情報と関連付いたクレジットカード情報をクレジットカード会社サーバ１４に送信する（Ｓ１３ｂ）。クレジットカード会社サーバ１４は、当該クレジットカード情報を受信する（Ｓ１４ａ）。クレジットカード会社サーバ１４は、受信したクレジットカード情報と関連付いたオーソリ情報を代行会社サーバ１３に送信する（Ｓ１４ｂ）。代行会社サーバ１３は当該オーソリ情報を受信する（Ｓ１３ｃ）。代行会社サーバ１３は受信したオーソリ情報を駐車場サーバ１２に送信する（Ｓ１３ｄ）。駐車場サーバ１２のデータ送受信部１２１は、当該オーソリ情報を受信し（Ｓ１２ｃ）、ＥＴＣ情報と紐づけてデータベース１２５に記憶する。以上がＥＴＣ情報関連動作である。上述のＥＴＣ情報関連動作により、入場時にクレジットカードのオーソリ情報を取得することができるため、出場時に決済をスムーズに行うことができる。なおオーソリ情報の取得は出場時に行うことも可能である。この場合、ステップＳ１２ｂ〜Ｓ１２ｃの処理（図３の破線で示す領域内の処理）を後述する図５のステップＳ１２ｆとステップＳ１２ｇの間に挿入すればよい。
【００２３】
＜駐車料金精算システム１のエントリ生成動作＞
以下、図４を参照して本実施例の駐車料金精算システム１のエントリ生成動作について説明する。利用者９の車両が駐車場の入場口に接近すると入場カメラ１５は、利用者９の車両の画像を撮影する（Ｓ１５ａ）。入場カメラ１５は、利用者９の車両の画像をコード発行端末１６に送信する（Ｓ１５ｂ）。ステップＳ１５ｂにおいて、入場カメラ１５は、画像に加え、画像の撮影時刻を送信することとしてもよい。コード発行端末１６は、入場カメラ１５から画像を受信する（Ｓ１６ａ）。ステップＳ１６ａにおいて、コード発行端末１６は、駐車場サーバ１２から（または入場ＥＴＣ路側器１１から直接）ＥＴＣ情報を取得する。このときコード発行端末１６は、ＥＴＣ情報に加え、入場ＥＴＣ路側器１１が当該ＥＴＣ情報を受信した時刻の情報を受信してもよい。
【００２４】
図６に示すように、入場ＥＴＣ路側器１１と入場カメラ１５は、いずれも駐車場の入場口に近接して設けられており、ステップＳ１０ａ、Ｓ１１ａ、Ｓ１５ａはほとんど同時に実行される。すなわち、入場カメラ１５が車両８を撮影した時刻と、入場ＥＴＣ路側器１１がＥＴＣ情報を受信した時刻とは、一定の関係（ほとんど同時刻）となる。コード発行端末１６は、この関係を利用して、車両８の画像と、ＥＴＣ情報の対応づけを行う。
【００２５】
図７に示すように、利用者９がコード発行端末１６を操作した場合、コード発行端末１６は、図８に示すように、画像の選択画面を表示する。利用者９は、選択画面から自分と関連する車両（典型的には、自分の車両）を選択する。コード発行端末１６は、利用者９によって、画像のうちの何れかが選択された場合に、選択された画像に対応するＥＴＣ情報のコード情報を生成し（Ｓ１６ｂ）、利用者９の携帯端末１７に送信する（Ｓ１６ｃ）。なお、コード情報は、駐車場を識別する情報を含んでもよい。利用者９の携帯端末１７は、コード情報を受信して（Ｓ１７ａ）、所定の記憶領域に記憶する。
【００２６】
なお、ステップＳ１６ｃ、Ｓ１７ａには、いくつかのバリエーションが考えられる。例えば、図９に示すように、コード発行端末１６は、生成したコード情報を画面に表示してもよい。この場合、利用者９は、表示されたコード情報を携帯端末１７のカメラで撮影することなどにより、記憶することができる。また、コード発行端末１６が印刷機能を備えている場合、生成したコード情報を紙片に印刷して利用者９に受け取らせてもよい。
【００２７】
以下、図１０を参照して、店舗における利用者９の行動について説明する。同図に示すように、店舗端末１８は、コード読取器１８１、キャッシュレジスタ１８２、コンピュータ１８３を含んで構成されてもよいし、他の構成であってもよい。上述したように、利用者９の携帯端末１７は、ＥＴＣ情報を記録したコード情報を予め保持している。利用者９は、店舗における行動（例えば店舗の利用、店舗内での購入、店舗内での飲食、ｅｔｃ）に伴い、コード情報を携帯端末１７の画面に表示させ、コード読取器１８１に読み取らせる。なお、コード情報が紙片に印刷されている場合、利用者９は当該紙片をコード読取器１８１に読み取らせる。これがコード情報の送信動作にあたる（Ｓ１７ｂ）。店舗端末１８は、コード情報を受信する（Ｓ１８ａ）。
【００２８】
この場合、店舗の担当者７は、利用者９の行動（例えば店舗の利用、店舗内での購入、店舗内での飲食、ｅｔｃ）により発生する割引情報を、店舗端末１８に入力する。これにより、ＥＴＣ情報（コード情報）と割引情報とが関連付けられる。この関連付けに際し、必要であれば携帯端末１７、店舗端末１８に所定のアプリケーションを予めインストールしておいてもよい。
【００２９】
店舗端末１８は、割引情報とコード情報を駐車場サーバ１２に送信する（Ｓ１８ｂ）。コード情報に、駐車場を識別する情報が含まれていた場合、店舗端末１８は、当該情報に対応する駐車場サーバ１２に割引情報とコード情報を送信してもよい。また、店舗端末１８は、割引情報に店舗を識別する情報を加えてもよい。駐車場サーバ１２のデータ送受信部１２１は、割引情報とコード情報を店舗端末１８から受信し（Ｓ１２ｄ）、データベース１２５に記憶する。
【００３０】
駐車場サーバ１２の紐づけ部１２３は、データベース１２５を検索して、入場ＥＴＣ路側器１１から受信したＥＴＣ情報と、店舗端末１８から受信したコード情報およびこれに関連付けられた割引情報を照合し、ＥＴＣ情報と割引情報を紐づけてエントリとしてデータベース１２５に記憶する（Ｓ１２ｅ）。以上がエントリ生成動作である。
【００３１】
＜駐車料金精算システム１の請求情報関連動作＞
以下、図５を参照して本実施例の駐車料金精算システム１の請求情報関連動作について説明する。利用者９の車両８が駐車場の出場口（出口）に接近するとＥＴＣによる通信がスタートする。利用者９の車両８のＥＴＣ車載器１０は、ＥＴＣ情報を発信する（Ｓ１０ｂ）。出場ＥＴＣ路側器１９は、当該ＥＴＣ情報を受信する（Ｓ１９ａ）。出場ＥＴＣ路側器１９は、受信したＥＴＣ情報を駐車場サーバ１２に送信する（Ｓ１９ｂ）。駐車場サーバ１２のデータ送受信部１２１は、当該ＥＴＣ情報を受信する（Ｓ１２ｆ）。駐車場サーバ１２の請求情報生成部１２４は、出場ＥＴＣ路側器１９から受信したＥＴＣ情報に基づいてデータベース１２５を検索し、検索されたエントリの割引情報に基づいて駐車料金の請求情報を生成する（Ｓ１２ｇ）。駐車場サーバ１２のデータ送受信部１２１は、生成した請求情報を代行会社サーバ１３に送信する（Ｓ１２ｈ）。代行会社サーバ１３は、当該請求情報を受信する（Ｓ１３ｅ）。代行会社サーバ１３は、受信した請求情報をクレジットカード会社サーバ１４に送信する（１３ｆ）。クレジットカード会社サーバ１４は、当該請求情報を受信する（Ｓ１４ｃ）。クレジットカード会社サーバ１４は、受信した請求情報に基づいて支払処理を実行する（Ｓ１４ｄ）。以上が請求情報関連動作である。
【００３２】
本実施例の駐車場サーバ１２、駐車料金精算システム１によれば、利用者９が自身と関連する車両８の写真を選択することによってコード情報が発行され、店舗端末１８は、コード情報と割引情報を関連付けて駐車場サーバ１２に送信するため、駐車場サーバ１２は、割引情報を反映した駐車料金の請求情報を生成することができる。
【実施例２】
【００３３】
以下、図１１を参照して実施例１の入場カメラ１５を車番読取装置２５に置き換え、実施例１のコード発行端末１６を省略した実施例２の駐車料金精算システム２について説明する。
【００３４】
同図に示すように本実施例の駐車料金精算システム２は、ＥＴＣカード１０１を挿入したＥＴＣ車載器１０と、入場ＥＴＣ路側器１１と、駐車場サーバ２２と、代行会社サーバ１３と、クレジットカード会社サーバ１４と、車番読取装置２５と、携帯端末２７と、店舗端末１８と、出場ＥＴＣ路側器１９と、これらの機器間の通信を担うネットワーク８１，８２，８３，８６，８７，８８を含んで構成される。
【００３５】
車番読取装置２５は、実施例１の入場カメラ１５と同様に、利用者９が利用する駐車場の入場口に、入場ＥＴＣ路側器１１に近接して（図の破線参照）設けられているものとする。
【００３６】
ネットワーク８１，８２，８３，８６は、実施例１と同様である。ネットワーク８７は、車番読取装置２５−駐車場サーバ２２間の通信を担う無線または有線のネットワークである。ネットワーク８８は、携帯端末２７−駐車場サーバ２２間の通信を担う無線または有線のネットワークである。
【００３７】
＜駐車場サーバ２２＞
以下、図１２を参照して本実施例の駐車場サーバ２２の構成について説明する。同図に示すように本実施例の駐車場サーバ２２は、データ送受信部１２１、コード生成部２２２、紐づけ部１２３、請求情報生成部１２４、データベース１２５を含み、コード生成部２２２以外の構成は、実施例１と同じである。
【００３８】
＜駐車料金精算システム２のＥＴＣ情報関連動作＞
図３に示した実施例１の駐車料金精算システム１の動作と同様である。
【００３９】
＜駐車料金精算システム２のエントリ生成動作＞
以下、図１３を参照して本実施例の駐車料金精算システム２のエントリ生成動作について説明する。利用者９の車両８が駐車場の入場口に接近すると車番読取装置２５は、利用者９の車両８の車両番号を認識する（Ｓ２５ａ）。車番読取装置２５は、利用者９の車両８の車両番号を駐車場サーバ２２に送信する（Ｓ２５ｂ）。ステップＳ２５ｂにおいて、車番読取装置２５は、車両番号に加え、車両番号の認識時刻（または認識対象の画像データ取得時刻）を送信することとしてもよい。駐車場サーバ２２は、車番読取装置２５から車両番号を受信する（Ｓ２２ｉ）。
【００４０】
本実施例では、コード発行端末１６を省略したため、例えば駐車場サーバ２２、利用者９の携帯端末２７に、コード発行端末１６の機能を担わせる。例えば利用者９は、携帯端末２７の専用アプリケーションなどを用いて駐車場サーバ２２にアクセスし、携帯端末２７の画面に図１４に示すような、車両番号の選択画面を表示させる。利用者９は、選択画面から自分と関連する車両（典型的には、自分の車両）の車両番号を選択する。駐車場サーバ２２のコード生成部２２２は、利用者９によって、車両番号のうちの何れかが選択された場合に、選択された車両番号に対応するＥＴＣ情報のコード情報を生成し（Ｓ２２ｊ）、利用者９の携帯端末２７に送信する（Ｓ１２ｋ）。利用者９の携帯端末２７は、コード情報を受信して（Ｓ１７ａ）、所定の記憶領域に記憶する。  店舗において、利用者９の携帯端末２７は、店舗端末１８にコード情報を送信する（Ｓ１７ｂ）。店舗端末１８は、コード情報を受信する（Ｓ１８ａ）。店舗端末１８は、割引情報とコード情報を駐車場サーバ２２に送信する（Ｓ１８ｂ）。駐車場サーバ２２のデータ送受信部１２１は、割引情報とコード情報を店舗端末１８から受信し、データベース１２５に記憶する（Ｓ１２ｄ）。
【００４１】
駐車場サーバ２２の紐づけ部１２３は、データベース１２５を検索して、入場ＥＴＣ路側器１１から受信したＥＴＣ情報と、店舗端末１８から受信したコード情報およびこれに関連付けられた割引情報を照合し、ＥＴＣ情報と割引情報を紐づけてエントリとしてデータベース１２５に記憶する（Ｓ１２ｅ）。以上がエントリ生成動作である。
【００４２】
＜駐車料金精算システム２の請求情報関連動作＞
図５に示した実施例１の駐車料金精算システム１の動作と同様である。
【００４３】
本実施例の駐車場サーバ２２、駐車料金精算システム２によれば、実施例１と異なる構成としても、実施例１と同様の効果を奏する。特に本実施例では、実施例１におけるコード発行端末１６を省略したため、システムの導入コストを削減することができる。
【００４４】
［変形例］
上述の実施例における装置の組み合わせ例とは別の組み合わせ例も考えられる。例えば、車番読取装置とコード発行端末を組み合わせてもよい。この場合、コード発行端末の画面に図１４に示す車両番号の選択画面を表示させればよい。また、実施例１の構成から、コード発行端末を省略してもよい。この場合、車両の画像は、駐車場サーバが管理するものとし、利用者９は、携帯端末の専用アプリケーションなどを用いて駐車場サーバにアクセスし、携帯端末の画面に図８に示すような画像の選択画面を表示させればよい。
【００４５】
＜補記＞
本発明の装置は、例えば単一のハードウェアエンティティとして、キーボードなどが接続可能な入力部、液晶ディスプレイなどが接続可能な出力部、ハードウェアエンティティの外部に通信可能な通信装置（例えば通信ケーブル）が接続可能な通信部、ＣＰＵ（Central Processing Unit、キャッシュメモリやレジスタなどを備えていてもよい）、メモリであるＲＡＭやＲＯＭ、ハードディスクである外部記憶装置並びにこれらの入力部、出力部、通信部、ＣＰＵ、ＲＡＭ、ＲＯＭ、外部記憶装置の間のデータのやり取りが可能なように接続するバスを有している。また必要に応じて、ハードウェアエンティティに、ＣＤ−ＲＯＭなどの記録媒体を読み書きできる装置（ドライブ）などを設けることとしてもよい。このようなハードウェア資源を備えた物理的実体としては、汎用コンピュータなどがある。
【００４６】
ハードウェアエンティティの外部記憶装置には、上述の機能を実現するために必要となるプログラムおよびこのプログラムの処理において必要となるデータなどが記憶されている（外部記憶装置に限らず、例えばプログラムを読み出し専用記憶装置であるＲＯＭに記憶させておくこととしてもよい）。また、これらのプログラムの処理によって得られるデータなどは、ＲＡＭや外部記憶装置などに適宜に記憶される。
【００４７】
ハードウェアエンティティでは、外部記憶装置（あるいはＲＯＭなど）に記憶された各プログラムとこの各プログラムの処理に必要なデータが必要に応じてメモリに読み込まれて、適宜にＣＰＵで解釈実行・処理される。その結果、ＣＰＵが所定の機能（上記、…部、…手段などと表した各構成要件）を実現する。
【００４８】
本発明は上述の実施形態に限定されるものではなく、本発明の趣旨を逸脱しない範囲で適宜変更が可能である。また、上記実施形態において説明した処理は、記載の順に従って時系列に実行されるのみならず、処理を実行する装置の処理能力あるいは必要に応じて並列的にあるいは個別に実行されるとしてもよい。
【００４９】
既述のように、上記実施形態において説明したハードウェアエンティティ（本発明の装置）における処理機能をコンピュータによって実現する場合、ハードウェアエンティティが有すべき機能の処理内容はプログラムによって記述される。そして、このプログラムをコンピュータで実行することにより、上記ハードウェアエンティティにおける処理機能がコンピュータ上で実現される。
【００５０】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。具体的には、例えば、磁気記録装置として、ハードディスク装置、フレキシブルディスク、磁気テープ等を、光ディスクとして、ＤＶＤ（Digital Versatile Disc）、ＤＶＤ−ＲＡＭ（Random Access Memory）、ＣＤ−ＲＯＭ（Compact Disc Read Only Memory）、ＣＤ−Ｒ（Recordable）／ＲＷ（ReWritable）等を、光磁気記録媒体として、ＭＯ（Magneto-Optical disc）等を、半導体メモリとしてＥＥＰ−ＲＯＭ（Electronically Erasable and Programmable-Read Only Memory）等を用いることができる。
【００５１】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【００５２】
このようなプログラムを実行するコンピュータは、例えば、まず、可搬型記録媒体に記録されたプログラムもしくはサーバコンピュータから転送されたプログラムを、一旦、自己の記憶装置に格納する。そして、処理の実行時、このコンピュータは、自己の記録媒体に格納されたプログラムを読み取り、読み取ったプログラムに従った処理を実行する。また、このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、本形態におけるプログラムには、電子計算機による処理の用に供する情報であってプログラムに準ずるもの（コンピュータに対する直接の指令ではないがコンピュータの処理を規定する性質を有するデータ等）を含むものとする。
【００５３】
また、この形態では、コンピュータ上で所定のプログラムを実行させることにより、ハードウェアエンティティを構成することとしたが、これらの処理内容の少なくとも一部をハードウェア的に実現することとしてもよい。
【図１】
2019101544.tif 000003
【図２】
2019101544.tif 000004
【図３】
2019101544.tif 000005
【図４】
2019101544.tif 000006
【図５】
2019101544.tif 000007
【図６】
2019101544.tif 000008
【図７】
2019101544.tif 000009
【図８】
2019101544.tif 000010
【図９】
2019101544.tif 000011
【図１０】
2019101544.tif 000012
【図１１】
2019101544.tif 000013
【図１２】
2019101544.tif 000014
【図１３】
2019101544.tif 000015
【図１４】
2019101544.tif 000016